(57)【要約】【課題】モーターにより駆動されるファンコンポーネントの軸方向の高さを縮小する。【解決手段】駆動用モーターを固定子12及びローター14から構成し、固定子の中心から離れた第一相対位置及び第二相対位置にそれぞれ電磁コイルパッケージ及び電磁部品を設置し、ローター14はファンハブ13内に固定して設置し、該ローターの正磁極及び負磁極は交互に設置して電磁感応面を構成することにより、ファンブレード136を設けたファンハブを回転駆動する。ファンハブ13は軸棒135を通してモーター枠フレーム11内に回転可能に支持され、モーター全体の高さを小さくすることができる。【選択図】図２
0003157480.tif 000002
【実用新案登録請求の範囲】
【請求項１】
ファンコンポーネントを駆動するモーターの固定子構造であって、上表面と下表面を備える基板、該基板中心から外方に離れた第一相対位置に設置した少なくとも１個の電磁コイルパッケージ、該基板中心から外方に離れた一第二相対位置に設置し、該第一相対位置とは重ならないように配置さらた少なくとも１個の電磁部品からなり、
該少なくとも１個の電磁コイルパッケージは、該上表面と該下表面との間に位置し、
該少なくとも１個の電磁部品は、該上表面と該下表面との間に位置したことを特徴とする、ファンコンポーネントを駆動するモーターの固定子構造。
【請求項２】
前記第一相対位置と該第二相対位置との軸線は、該基板中心を通過し、相互に垂直であることを特徴とする、請求項１記載のファンコンポーネントを駆動するモーターの固定子構造。
【請求項３】
前記電磁コイルパッケージと該電磁部品とは、間隔を開けて配列し、該電磁コイルパッケージと別の電磁コイルパッケージとは、対応して設置し、該電磁部品と別の電磁部品とは、対応して設置したことを特徴とする、請求項１或いは２記載のファンコンポーネントを駆動するモーターの固定子構造。
【請求項４】
前記電磁コイルパッケージは、少なくとも１個のアーマチュア線及び少なくとも１個のコーティング層からなり、
該アーマチュア線は、アーマチュアコイルを構成し、
該コーティング層は、該アーマチュアコイルを被覆することを特徴とする、請求項１記載のファンコンポーネントを駆動するモーターの固定子構造。
【請求項５】
前記電磁部品は、該基板中に挿入して設置され、その両端は、該上表面及び該下表面に対応したことを特徴とする、請求項１記載のファンコンポーネントを駆動するモーターの固定子構造。
【請求項６】
ファンコンポーネントを駆動するモーターであって、固定子を備え、
該固定子は、上表面と下表面を備える基板、該基板中心から離れた第一相対位置に設置する少なくとも１個の電磁コイルパッケージ、該基板中心から離れた一第二相対位置に設置し、該第一相対位置とは重ならないように配置された少なくとも１個の電磁部品、少なくとも１個の正磁極及び負磁極を備えるローターからなり、
該少なくとも１個の電磁コイルパッケージは、該上表面と該下表面との間に位置し、
該少なくとも１個の電磁部品は、該上表面と該下表面との間に位置し、
該正極は、該負磁極に近接すると共に、該正、負極は交互に設置して電磁感応面を構成し、該上表面に相対したことを特徴とするファンコンポーネントを駆動するモーター装置。
【請求項７】
ファンコンポーネントは、軸受けを備えるモーター枠フレーム、該軸受け外側に嵌めて該モーター枠フレーム内に設置する固定子、軸棒を備えるファンハブ、少なくとも１個の正磁極及び負磁極を備えるローターからなり、
該固定子は、上表面と下表面を備える基板、該基板中心から離れた第一相対位置に設置する少なくとも１個の電磁コイルパッケージ、該基板中心から離れた一第二相対位置に設置し、該第一相対位置とは重ならない少なくとも１個の電磁部品を備え、該少なくとも１個の電磁コイルパッケージは、該上表面と該下表面との間に位置すると共に、該少なくとも１個の電磁部品は、該上表面と該下表面との間に位置してなり、
該ファンハブは、中心から外方に向けて延長する第一部分とその外周で下方に向けて段差を形成する第二部分とにより上記ローターを収容する空間を形成し、さらにその外周を水平に延長した第三部分の外方を下方に段差を形成してファンブレードを設ける第四部分を構成し、
さらに該ファンハブは、上記軸棒第一端でファンハブ中心を支持すると共に軸棒第二端を上記モーター枠フレームの軸受けのベアリングにより回転可能に支持し、
該ローターは、上記ファンハブの該第一部分と該第二部分との間に設置し、
該正磁極は、該負磁極に近接して交互に設置して電磁感応面を構成し、該上表面に相対したことを特徴とするファンコンポーネント。
【考案の詳細な説明】
【技術分野】
【０００１】
本考案は、モーター固定子構造及びそれにより駆動されるファンコンポーネントに関し、特に従来の固定子鉄心及び絶縁フレーム等の構造を改良し、モーターの軸方向の高さを大幅に縮減したモーター固定子構造及びそれにより駆動されるファンコンポーネントに関するものである。
【背景技術】
【０００２】
従来のモーター構造は凡そ、中央に軸管を備えたベース、該軸管の外周壁に嵌める固定子、中央に回転軸及び永久磁石を備えるローターからなる。
該軸管内部には、ベアリング、環状フック、摩擦片、或いはオイルシール等の構成部材を設置する。
該回転軸は、回転可能状態で該軸管に結合し、こうして該固定子と該ローターは、相互に組み立てられ、モーター構造を構成する。
【０００３】
該従来のモーター構造では、該ローターと該固定子が相互に感応して励起し、回転を行うため、固定子は欠かせない部品である。
該従来のモーター構造の固定子は、複数の珪素鋼板片と？縁片を相互に重ね、その後にコイルを巻き付けて組成する。
そのため、固定子そのものが一定の高さを備え、これによりモーターの高さを縮小することができない。
さらに、ローター上の永久磁石もまた、同様に一定の高さを備えるため、ローターと固定子が相互に平行な設計であるにもかかわらず、モーターの軸方向の空間を節減することができない。
そのため、モーターを比較的小さいスペースに応用する必要があっても、モーターの軸方向の高さが障害となり、適用できないという事態が発生する。
すなわち、従来の技術には、使用空間が制限され、小型化を達成できない、との欠点が存在する。
本考案は、従来の固定子構造及びそのモーター装置とファンコンポーネントの上記した欠点に鑑みてなされたものである。
【先行技術文献】
【特許文献】
【０００４】
【特許文献１】特開平１０−２５７７０９号公報
【考案の概要】
【考案が解決しようとする課題】
【０００５】
本考案が解決しようとする課題は、使用空間の必要に対応するため、モーターの軸方向の高さを縮小した固定子構造及びそのモーター装置とファンコンポーネントを提供することである。
【課題を解決するための手段】
【０００６】
上記課題を解決するため、本考案は下記のモーター装置の固定子構造及びそのモーターで駆動するファンコンポーネントを提供する。
固定子構造及びそのモーター装置とファンコンポーネントは、ファン枠フレーム内に嵌めて設置する固定子、及びファンハブ内に固定するローターからなり、
該固定子は、基板を備え、該基板中心から離れた第一相対位置及び第二相対位置に、それぞれ少なくとも１個の電磁コイルパッケージ及び電磁部品を設置し、
該ローターは、少なくとも１個の正磁極及び負磁極を備え、該正、負磁極は交互に設置して電磁感応面を構成し、
該ファンハブは、軸棒を通してファン枠フレーム内に可動状態で設置し、こうして電磁感応面は基板の電磁コイルパッケージと電磁部品とに相対し、
こうして、ファンの軸方向の高さを大幅に縮小し、スペースが限られた狭い場所にも適用可能とする。
【考案の効果】
【０００７】
本考案固定子構造及びそのモーター装置とファンコンポーネントは、スペースを節減し、コストを削減可能で、起動トルクが比較的小さいため、節電効果をも備える。
【図面の簡単な説明】
【０００８】
【図１】本考案ファンコンポーネントの分解図である。
【図２】本考案ファンコンポーネントの組合せ図である。
【図３】本考案基板の俯瞰図である。
【図４】本考案ローターの底面図である。
【図５】本考案固定子の局部断面図である。
【図６】本考案固定子の局部断面図である。
【考案を実施するための形態】
【０００９】
以下に図面を参照しながら本考案を実施するための最良の形態について詳細に説明する。
【実施例】
【００１０】
図１、２、３、４、５、６に示すように、本考案のファンコンポーネント1は、軸受け111を備えるモーター枠フレーム11、該軸受け111外側に嵌めて設置し、該モーター枠フレーム11内に設置する固定子12、第一部分131、第二部分132、第三部分133、第四部分134、軸棒135を備えるファンハブ13、少なくとも１個の正磁極141及び負磁極142を備えるローター14からなる。
【００１１】
該軸受け111内には、ベアリング112を設置する。
該固定子12は、基板121、電磁コイルパッケージ122、電磁部品123からなる。
該基板121は、上表面1211と下表面1212を備える。
【００１２】
該上、下表面1211、1212は、該基板121両側にそれぞれ設置する。
さらに、該基板121の中心には第一相対位置1213及び第二相対位置1214（図３参照)を備える。
【００１３】
電磁コイルパッケージ122は、該基板121の中心から外方に離れた第一相対位置1213に設置し、該基板121の上表面1211と下表面1212との間に位置する。
【００１４】
電磁部品123は、該基板121の中心から外方に離れた第二相対位置1214に設置し、該第一相対位置1213とは重ならず、しかも、該上表面1211と該下表面1212との間に位置する（図５参照)。
【００１５】
該電磁コイルパッケージ122及び該電磁部品123は、間隔を開けて配列し、該電磁コイルパッケージ122と別の電磁コイルパッケージ122とは対応させて設置する。
該電磁部品123と別の電磁部品123とは対応させて設置する。
【００１６】
該第一相対位置1213と該第二相対位置1214との軸線は、該基板121の中心を通過し、相互に垂直である（図３参照）。
【００１７】
該電磁コイルパッケージ122は、少なくとも１個のアーマチュア線1221及びコーティング層1222からなる。
該アーマチュア線1221が巻き付いて、アーマチュアコイル1223を形成する。
【００１８】
該コーティング層1222は、該アーマチュアコイル1223を被覆する。
該コーティング層1222は、樹脂材質で、該アーマチュアコイル1223は、該基板121中に埋め込む。
【００１９】
該電磁部品123は、該基板121中に挿入して設置し、その両端を該上表面1211及び該下表面1212にそれぞれ対応する。
【００２０】
該電磁部品123は、ネオジウム鉄ボロン(NdFeB)及びフェライトにより構成するグループから選択する。
【００２１】
該基板121はさらに、ＩＣ部品121Aを備える。
該ＩＣ部品121Aは、上表面1211に設置する。
【００２２】
該第一部分131は、下方へと該第二部分132を延伸し、該第二部分132は、該ファンハブ13の中心と反対方向に該第三部分133を延伸し、該第三部分133は、下方へと該第四部分134を延伸する。
【００２３】
該軸棒135は、第一端1351及び第二端1352を備える。
該第一端1351と該ファンハブの第一部分131と接続し、該第二端1352は、該ベアリング112に挿入して、該ベアリング112により回転可能に支持する。
【００２４】
該ファンハブ13は、該モーター枠フレーム11中に回転可能に支持する。
該ファンハブ13はさらに、複数のブレード136を備える。
該各ブレード136は、該ファンハブ13周縁から、該ファンハブ13の反対方向へと延伸して構成する。
【００２５】
該ローター14は、該ファンハブ13の第一部分131と第二部分132との間に設置する。
該正極141は、該負極142に近接し、しかも、該正、負磁極141、142は交互に並列して設置して電磁感応面143を構成し、該基板121の上表面1211に相対する。
【００２６】
該ファンハブ13の第一部分131及び第二部分132は共に、第一空間137を区画する。
該第三部分133及び該第四部分134は共に、第二空間138を区画する。
該ローター14は、該第一空間137中に設置し、該第二空間138は、該基板121に相対する。
【００２７】
上記したように、本考案の固定子構造及びそのモーター装置とファンコンポーネントは、以下の長所を備える。
1.固定子鉄心及び？縁フレーム等のパーツがないため、その軸方向の高さを、大幅に  縮小することができる。
2.鉄心を設置しないため歯車槽効果による磁性連動力もなく、よってモーターの起動  電圧が低く、しかも、所要トルクが小さいため、電力節約の目的を達成することが  できる。
3.電磁部品を基板上に設置し、磁場定位機能を備えるため、ユニフェーズICを制御に  用い、モーター製造のコストを引き下げることができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３０】
1  ファンコンポーネント
11  モーター枠フレーム
111  軸受け
112  ベアリング
12  固定子
121  基板
121A  ＩＣ部品
1211  上表面
1212  下表面
1213  第一相対位置
1214  第二相対位置
122  電磁コイルパッケージ
1221  アーマチュア線
1222  コーティング層
1223  アーマチュアコイル
123  電磁部品
13  ファンハブ
131  第一部分
132  第二部分
133  第三部分
134  第四部分
135  軸棒
1351  第一端
1352  第二端
136  ブレード
137  第一空間
138  第二空間
14  ローター
141  正磁極
142  負磁極
143  電磁感応面
【図１】
0003157480.tif 000003
【図２】
0003157480.tif 000004
【図３】
0003157480.tif 000005
【図４】
0003157480.tif 000006
【図５】
0003157480.tif 000007
【図６】
0003157480.tif 000008